(57)【要約】【課題】  顧客が商品購入時に使用する締めメディアに応じて販売促進活動を行うことができる商品販売データ処理装置及び商品販売データ処理プログラムを提供する。【解決手段】  決済に用いられる締めメディアに対応する締めキーに、予め販売促進活動の対象となる締めメディアであるか否かを設定しておき、締めキーに対応する販売促進条件テーブルに設定された販売促進期間，達成金額についての販売促進条件を見たす場合に、予め設定された販売促進活動の内容を示すメッセージ及び値引券を示すバーコードなどを印字した販売促進レシートを発行する。【選択図】図１０
2007004558.tif 000002
【特許請求の範囲】
【請求項１】
販売商品データを処理する商品販売データ処理手段と、
商品の決済を行う締めメディアを指定する締めメディア指定手段と、
少なくとも販売を促進するための販売促進活動の内容に応じたメッセージを示す印字データを記憶する印字データ記憶手段と、
前記印字データ記憶手段に記憶された印字データを選択する設定および前記販売促進活動を実施するか否かに関する条件の設定を前記締めメディア毎に設定する設定手段と、
前記締メディア指定手段で締めメディアが指定されたときに、その締めメディアに応じて設定された前記条件を満たすか否かを判断する判断手段と、
前記判断手段で条件を満たすと判断した場合に前記設定手段で前記締めメディアに設定された印字データをレシートに印字する販売促進レシート発行手段とを具備することを特徴とする商品販売データ処理装置。
【請求項２】
コンピュータに、
販売商品データを処理させる機能と、
商品の決済を行う締めメディアを指定させる機能と、
少なくとも販売を促進するための販売促進活動の内容に応じたメッセージを示す印字データを記憶させる機能と、
前記記憶させた印字データを選択させる設定および前記販売促進活動を実施させるか否かに関する条件の設定を前記締めメディア毎に設定させる機能と、
前記締メディアを指定させる機能で締めメディアが指定されたときに、その締めメディアに応じて設定させた前記条件を満たすか否かを判断させる機能と、
前記判断させる機能で前記条件を満たすと判断させた場合に前記締めメディアに設定させた印字データをレシートに印字させる機能と、
を実現させる商品販売データ処理プログラム。
【発明の詳細な説明】
【技術分野】
【０００１】
本発明は、販売した商品のデータ処理を行う商品販売データ処理装置及び商品販売データ処理プログラムに関する。
【背景技術】
【０００２】
スーパーマーケット，コンビニエンスストア，百貨店等の商品の販売を行う店舗において商品の販売を促進するために、例えば会員カードを提示した顧客に対して所定の条件を満たす場合に、販売促進のためのメッセージをレシートに印字したり、値引券をレシートにバーコード印字したり、商品価格を優待価格に基づいて値引したり、又は商品価格に応じたポイントを付与する等の販売促進活動がおこなわれている。
【０００３】
なお、簡単な入力操作で、レシートの所定部分にチラシ広告等の内容をそのまま再現したイメージデータを印字する技術が知られている（例えば、特許文献１参照）。
【０００４】
また、商品登録のために商品ファイルを検索した際に入力商品コードに対応する商品に関する顧客層別の注意喚起メッセージがあると判別された場合に当該商品および顧客層をメモリに記憶し、顧客層別締めキーを用いて顧客層別締め操作がなされた場合でかつメモリに当該顧客層および商品が記憶されている場合に当該商品および顧客層に関する注意喚起メッセージを表示器に表示する技術が知られている（例えば、特許文献２参照）。
【特許文献１】特開２００４−７８９２５号公報
【特許文献２】特開２００１−２６６２５３号公報
【発明の開示】
【発明が解決しようとする課題】
【０００５】
上述した販売促進活動は、会員に対して発行された会員カードを利用して販売促進活動を行うため、会員カードを用いない店舗においては販売促進活動を実施することができない場合があり、販売促進活動が制限されてしまう可能性がある。
【０００６】
また、顧客が商品購入時の決済に用いる媒体（以下、締めメディアと称する。）としては、現金，デビットカード，クレジットカードに限らず、プリペイドカード，携帯端末装置やＩＣカードに蓄積された電子マネー、クーポン券の多様な締めメディアが考えられる。さらに、値引きするためのポイント，優待券，割引券，値引券を用いて値引きした後、上述した締めメディアを用いて決済を行う場合も考えられる。このように締めメディアは多種多様なものが存在しているが、締めメディアに応じた販売促進活動は行われていなかった。
【０００７】
本発明は上記事情に鑑みてなされたものであって、その目的は、店舗において顧客が商品購入時に使用する締めメディアに応じて販売促進活動を行うことができる商品販売データ処理装置及び商品販売データ処理プログラムを提供することにある。
【課題を解決するための手段】
【０００８】
本発明は、販売商品データを処理する商品販売データ処理手段と、商品の決済を行う締めメディアを指定する締めメディア指定手段と、少なくとも販売を促進するための販売促進活動の内容に応じたメッセージを示す印字データを記憶する印字データ記憶手段と、印字データ記憶手段に記憶された印字データを選択する設定および販売促進活動を実施するか否かに関する条件の設定を締めメディア毎に設定する設定手段と、締メディア指定手段で締めメディアが指定されたときに、その締めメディアに応じて設定された条件を満たすか否かを判断する判断手段と、この判断手段で条件を満たすと判断した場合に設定手段で締めメディアに設定された印字データをレシートに印字する販売促進レシート発行手段とを具備するものである。
【発明の効果】
【０００９】
本発明によると、店舗において顧客が商品購入時に使用する締めメディアに応じて販売促進活動を行うことができる商品販売データ処理装置及び商品販売データ処理プログラムを提供できる。
【発明を実施するための最良の形態】
【００１０】
以下、本発明の実施の形態について図面を参照して説明する。本実施の形態は例えばスーパーマーケット，コンビニエンスストア，百貨店等の店舗に設置されるＰＯＳターミナルに本発明を適用した場合で説明する。
【００１１】
図１は本実施の形態におけるＰＯＳターミナルが接続されるネットワークシステムの概略構成を示す図である。このネットワークシステムは、ＬＡＮ１に、３台のＰＯＳターミナル２と、１台のストアコンピュータ３を接続してなるものである。また、ストアコンピュータ３は、クレジットカードの決済に関する問い合わせを受け付けるサーバ４とネットワーク５を介して接続している。なお、ＰＯＳターミナル２の接続台数は、本実施の形態のものに限定されるものではない。
【００１２】
図２は、ＰＯＳターミナル２の外観の一例を示す図である。ＰＯＳターミナル２は、顧客が買上げる商品の販売データをメモリに登録し、登録を完了すると、その顧客が買上げた商品の明細等を印字した買上レシートを発行する商品販売データ処理装置として機能する。ＰＯＳターミナル２は、正面にキーボード１１、モードスイッチ１２及びオペレータ用のタッチパネル付ディスプレイ１３を設けており、背面に顧客用のディスプレイ１４を設けている。また、レシート印字及びジャーナル印字を行なうためのプリンタ１５を内蔵しており、このプリンタ１５で印字されたレシートをレシート発行口１６から発行するようになっている。さらに、現金等を収容するためのドロワ１７を備えるとともに、バーコードを読み取るためのスキャナ１８を接続している。また、キーボード１１の図中右側には、クレジットカードからデータを読み取るためのカードリーダ１９が設けられている。キーボード１１は、数値データを置数入力するための置数キーの他、ＰＬＵキー，小計キー，現計キー，信計キー，各種の締めキー等の各種ファンクションキーを配設したものである。締めキーは、現金，デビットカード，クレジットカード，プリペイドカード，携帯端末装置やＩＣカードに蓄積された電子マネー、クーポン券等の全ての締めメディアを用いることができるように締めメディアとキーとが一対一で対応付けられて締めメディアの数に応じて設けられている。モードスイッチ１２は、登録モード，点検モード，精算モード等の各種業務モードを選択するためのものである。
【００１３】
図３はＰＯＳターミナル２の要部構成を示すブロック図である。ＰＯＳターミナル２は、制御部本体を構成するＣＰＵ２１に、プログラム等を格納したＲＯＭ２２、各種のデータを記憶するＲＡＭ２３、現在の日時を計時する時計部２４、Ｉ／Ｏポート２５、ＬＡＮコントローラ２６、キーボードコントローラ２７、タッチパネルコントローラ２８、ディスプレイコントローラ２９、プリンタコントローラ３０、スキャナインタフェース（Ｉ／Ｆ）３１、カードリーダコントローラ３２等をバス接続してなる制御回路を内蔵している。そして、Ｉ／Ｏポート２５にモードスイッチ１２とドロワ１７の自動開放装置１７Ａとを接続し、ＬＡＮコントローラ２６にＬＡＮ１を接続し、キーボードコントローラ２７にキーボード１１を接続し、タッチパネルコントローラ２８にタッチパネル付ディスプレイ１３のタッチパネルセンサ１３Ａとディスプレイ部１３Ｂとを接続し、ディスプレイコントローラ２９にディスプレイ１４を接続し、プリンタコントローラ３０にプリンタ１５を接続し、スキャナインタフェース３１にスキャナ１８を接続し、カードリーダコントローラ３２にカードリーダ１９を接続している。
【００１４】
ＬＡＮコントローラ２６は、ＬＡＮ１を通じて行なうデータ通信を制御する。キーボードコントローラ２７は、キーボード１１から操作されたキーに対応するキー信号を取り込みＣＰＵ２１に知らせる。タッチパネルコントローラ２８は、ＣＰＵ２１からの指令によりディスプレイ部１３Ｂに各種の画面を選択的に表示させるとともに、タッチパネルセンサ１３Ａの信号を取り込みタッチ位置座標を求めてＣＰＵ２１に知らせる。ディスプレイコントローラ２９は、表示データに対応した文字等をディスプレイ１４に表示させる。プリンタコントローラ３０は、プリンタ１５によるレシート印字及びジャーナル印字を制御する。スキャナインタフェース３１は、スキャナ１８にてスキャニングされたバーコードデータを入力する。カードリーダコントローラ３２は、カードリーダ１９にて読み取られたカードデータを入力する。
【００１５】
ＰＯＳターミナル２のＲＡＭ２３には、締めキーステータスに関する設定を記憶する締めキーステータステーブルＴ１、商品の販売促進活動を実施するか否かに関する条件を設定する販売促進条件テーブルＴ２，販売促進を行うためのメッセージ等を示す印字データを記憶した販売促進レシートメッセージテーブルＴ３等を形成している。
【００１６】
図４は、締めキーステータステーブルＴ１の設定内容を示す図である。図４に示すように、締めキーステータスとして、コード，キー名称，販売促進なし／あり，販売促進条件テーブルＮＯ．の各項目を設定できるようになっている。これらの項目に設定する内容としては、コードには締めＩＤが、キー名称には締めメディア名が、販売促進なし／ありには、販売促進なしの場合には「０」，販売促進ありの場合には「１」が、販売促進条件テーブルＮＯ．には参照する販売促進条件テーブルＮＯ．が格納される。なお、コードの項目に格納される締めＩＤには、キーボード１１上の各種の締めキーに割り当てられたコードの番号が格納される。
【００１７】
図５は、販売促進条件テーブルＴ２（設定手段）の設定内容を示す図である。図５に示すように、コード，区分，値，期間有無，期間ＦＲＯＭ，期間ＥＮＤ，金銭基準有無，達成金額（以上）の各項目を設定できるようになっている。これらの各項目に設定する内容としては、コードには、販売促進レシートメッセージテーブルＴ３のテーブルコードが、区分にはメッセージのみの場合には「０」，割引の場合には「１」，値引の場合には「２」，ポイント値の場合には「３」が、値には割引レート，値引金額，ポイント値のいずれかが、期間有無には期間なしの場合は「０」，期間ありの場合には「１」が、期間ＦＲＯＭには販売促進活動の期間の開始を示す日時が、期間ＥＮＤには販売促進活動の期間の終了を示す日時が、金額基準有無には金額基準がない場合には「０」，金額基準がある場合には「１」が、達成金額基準（以上）には決済時に支払われた金額がいくら以上であった場合に販売促進活動を行うかの基準となる金額が設定される。
【００１８】
図６は、販売促進レシートメッセージテーブルＴ３（印字データ記憶手段）を設定内容示す図である。図６に示すように、コード，メッセージ１から７，ステータス１，２の各項目の内容を設定できるようになっている。コードには販売促進レシートＮＯ．を示すコードが、メッセージ１からメッセージ７にはそれぞれ全角２２文字からなる販売促進活動の内容を示すメッセージが、ステータス１には、バーコード印字をする場合（例えば、販売促進活動が値引券の発行である場合には、その値引券の値引金額に相当する金額等を示すバーコードが印字される。）には「０」，バーコード印字をしない場合には「１」が、ステータス２には、販売促進レシートを１回のみ発行する場合には「０」，所定の複数回発行する場合には「１」が設定される。
【００１９】
上述した締めキーステータステーブルＴ１、販売促進条件テーブルＴ２、販売促進レシートメッセージテーブルＴ３の設定は、例えば、店舗の閉開店業務において、ストアコンピュータ３から店舗の運営スケジュールに沿って設定内容を各ＰＯＳターミナル２に配信することにより行うこととする。
【００２０】
図７から図９は、図４から図６を用いて説明した締めキーステータステーブルＴ１，販売促進条件テーブルＴ２，販売促進レシートメッセージテーブルＴ３の設定例を示す図である。設定例として、販売期間が２００５年１月１日から２００５年１２月３１日，有効締めメディアがクレジットカード，達成金額は１０，０００円以上，販売促進活動の内容は、１００円の値引券をレシートにバーコード印字する場合で説明する。
【００２１】
図７に示す締めキーステータステーブルＴ１ａの設定例に示すように、締めＩＤのコードには「１９」（キーボード１１のキーのうちクレジット決済による締め処理を行うために設定されたキーに対応するコード）、キー名称には「クレジット」、販売促進なし／ありにはありを示す「１」、販売促進条件テーブルＮＯ．には「１」が設定されている。
【００２２】
図８に示す販売促進条件テーブルＴ２ａの設定例に示すように、販売促進レシートメッセージテーブルには「１」、区分には値引であることを示す「２」、値には１００円の値引きであるため「１００」、期間有無には期間があることを示す「１」、期間ＦＲＯＭには「２００５／１／１  ００：００」、期間ＥＮＤには「２００５／１２／３１  １２：５９」、金額基準有無には基準があることを示す「１」、達成金額（以上）には「￥１０，０００」が設定されている。
【００２３】
図９に示す販売促進レシートメッセージテーブルＴ３ａの設定例に示すように、販売促進レシートＮＯ．には「１」（図８で示した販売促進条件テーブルＴ２に設定されているコードである。）、メッセージ１からメッセージ７には、クレジット会員である顧客に、クレジットカードを用いて決済を行ったために値引券１００円が発行されたことを示す旨のメッセージ、ステータス１にはバーコード印字をするため「０」、ステータス２には１回のみの発行となるため「０」が設定されている。
【００２４】
次に、ＰＯＳターミナル２で商品の販売時にレシート及び販売促進レシートを発行するときにＣＰＵ２１が実行する処理について説明する。図１０は、商品の登録を行い、レシート及び販売促進レシートを印字発行するときにＣＰＵ２１が実行する処理の要部を示すフローチャートである。モードスイッチ１２が登録モードとなっているときに、スキャナ１８からデータがスキャニングされるとこの処理を開始する。
【００２５】
ＣＰＵ２１は、販売商品の登録を受け付ける（ＳＴ１１，商品販売データ処理手段）。すなわち、ＣＰＵ２１はスキャナ１８でスキャニングされた商品販売データをＲＡＭ２３の所定のエリアに格納する。そして、ＣＰＵ２１は締め処理を行うキーとして設定されている締めキーのうちからいずれかの締めキーの入力を受け付けた否かを判断する（ＳＴ１２，締めメディア指定手段）。
【００２６】
締めキーの入力を受け付けたと判断しないと（ＳＴ１２，ＮＯ）、ＣＰＵ２１は販売商品の登録を受け付ける。一方、締めキーの入力を受け付けたと判断すると（ＳＴ１２，ＹＥＳ）、ＣＰＵ２１は販売商品として登録された商品に関するデータ等をレシートに印字するためのレシート印字データの処理を行う（ＳＴ１３）。そして、ＣＰＵ２１は、プリンタコントローラ３０を制御して、店のロゴ，現在時刻，販売商品，値段などが印字されたレシートをレシート発行口１６から発行する（ＳＴ１４）。
【００２７】
続いて、ＣＰＵ２１は締め処理として使用された締めキーは販売促進の対象となっているか否かを判断する（ＳＴ１５）。具体的には、ＣＰＵ２１は締めキーのコードと一致するコードの締めキーステータステーブルＴ１を参照し、そのテーブルの販売なし／ありの項目が「１」となっているか否かを判断する。例えば、キーボード１１上のクレジットカードで決済するためのクレジットキーが入力された場合には、締めキーステータステーブルＴ１のコードが「１９」となっている図７に示す締めキーステータステーブルＴ１ａが参照され、さらに、販売なし／ありの項目が「１」となっているため販売促進の対象となっていると判断される。なお、この処理は上記レシートを発行する処理と同時に行うようしても良い。
【００２８】
締めキーが販売促進の対象となっているキーと判断すると（ＳＴ１５，ＹＥＳ）、ＣＰＵ２１はその販売促進活動の販売促進期間内か否かを判断する（ＳＴ１６）。具体的には、ＣＰＵ２１は、ステップＳＴ１５で参照した締めキーステータステーブルＴ１の販売促進条件テーブルＮＯ．の項目に設定されている番号の販売促進条件テーブルＴ２を参照し、時計部２４から取得した現在時刻が、そのテーブルＴ２の期間ＦＲＯＭに設定された日時と、期間ＥＮＤに設定された日時との間であるか否かを判断する。例えば、図７に示す締めキーステータステーブルＴ１が参照された場合には、販売促進条件テーブルＮＯ．に「１」が設定されているため、図８に示す販売促進条件テーブルＴ２ａが参照され、現在時刻が、期間ＦＲＯＭに設定されている２００５年１月１日０時、期間ＥＮＤに設定されている２００５年１２月３１日２３時５９分までの間であるか否かが判断される。
【００２９】
販売促進期間内と判断すると（ＳＴ１６，ＹＥＳ）、ＣＰＵ２１はステップＳＴ１６で参照した販売促進条件テーブルＴ２に、金額基準ありと設定されているか否かを判断する（ＳＴ１７）。具体的には、ＣＰＵ２１は参照した販売促進条件テーブルＴ２の金額基準有無の項目に「１」が設定されていれば金額基準ありと判断し、「０」が設定されていれば金額基準なし（金額基準ありではない）と判断する。例えば、図８に示す販売促進条件テーブルＴ２ａが参照された場合には、金額基準有無の項目に「１」が設定されているため、金額基準ありと判断される。
【００３０】
金額基準ありと判断すると（ＳＴ１７，ＹＥＳ）、ＣＰＵ２１は締めキーの入力により締められた販売商品の金額が達成金額以上か否かを判断する（ＳＴ１８）。具体的には、ＣＰＵ２１はステップＳＴ１１において登録を受け付けた販売商品の合計金額が、ステップＳＴ１６で参照した販売促進条件テーブルＴ２の達成金額（以上）の項目に設定されている金額以上か否かを判断する。例えば、図８に示す販売促進条件テーブルＴ２ａが参照された場合には、達成金額（以上）の項目に、１０，０００円が設定されているため、販売商品の合計金額が１０，０００円以上であるか否かが判断される。なお、上記ステップＳＴ１５からＳＴ１８により判断手段を構成している。
【００３１】
金額基準ありでないと判断したとき（ＳＴ１７，ＮＯ）、又は達成金額以上であると判断すると（ＳＴ１８，ＹＥＳ）、ＣＰＵ２１は販売促進条件に合致した場合の販売促進レシート印字データの処理を行う（ＳＴ１９）。具体的には、ＣＰＵ２１は、ステップＳＴ１６で参照した販売促進条件テーブルＴ２のコードの項目に設定されたコードと一致するコードの販売促進レシートメッセージテーブルＴ３を参照し、その販売促進レシートメッセージテーブルＴ３の設定内容に基づいて、印字データの処理を行う。例えば、図８に示す販売促進条件テーブルＴ２ａのコードの項目に設定された「１」に対応する販売促進レシートメッセージテーブルＴ３ａが参照された場合には、クレジットカードの会員である顧客に、クレジットカードを用いて決済を行ったために値引券１００円が発行されたことを示す旨のメッセージとともに１００円の値引券を示すバーコード印字をレシートに印字して１回発行するための処理が行われる。
【００３２】
このようにレシートに印字する販売促進レシート印字データの処理が行われると、ＣＰＵ２１は、販売促進レシートを発行する（ＳＴ２０，販促レシート発行手段）。すなわち、ＣＰＵ２１はプリンタコントローラ３０を制御してレシートに販売促進レシート印字データを印字し、このデータが印字された販売促進レシートをレシート発行口１６から発行する。
【００３３】
次に、このように構成されたＰＯＳターミナル２の作用について説明する。２００５年４月１日に、顧客が商品として１０，５００円の冬物セーターをクレジットカードで決済して購入する場合で説明する。また、ＰＯＳターミナル２のＲＡＭ２３には、図７から図９を参照して説明した締めキーステータステーブルＴ１，販売促進条件テーブルＴ２，販売促進レシートメッセージテーブルＴ３がクレジットカードの締めキーに対応して設定されていることとする。
【００３４】
顧客から商品を渡されたキャッシャは、商品に付けられたタグのバーコードをＰＯＳターミナル２のスキャナ１８を用いて読み取る。これにより、当該商品の値段等の商品情報がＰＯＳターミナル２に登録される。なお商品情報は、キャッシャはディスプレイ部１３Ｂで、顧客はディスプレイ１４で確認できる。
【００３５】
顧客がキャッシャにクレジットカードで商品の代金をクレジットカードで支払う旨を伝えると、キャッシャはクレジットカードを受け取り、そのクレジットカードをカードリーダ１９で読み取らせる。ＰＯＳターミナル２は、クレジットカードから読み取った所定のデータをストアコンピュータ３を介してサーバ４へ問い合わせを行い、決済が可能であるか否かを確認する。決済が可能である場合は、キャッシャはクレジットカードでの決済用に割り当てられたキーボード１１上の締めキーを押下する。
【００３６】
これにより、商品の代金をクレジットカードで決済するための処理がＰＯＳターミナル２で実行される。そして、店のロゴ，販売時刻，販売商品，値段などが印字されたレシートが３枚レシート発行口から発行される。１枚はクレジットカード会社用であり、１枚は店用であり、最後の１枚は、顧客用控えである。図１１は顧客用控えのレシートを示す図である。レシートには、１０，５００円の冬物セーターを１点購入したことが印字されている。
【００３７】
また、締めキーが入力されたときに、その締めキーに対応する図７に示す締めキーステータステーブルＴ１ａの販売促進なし／ありの項目の設定「１」が参照され、続いて、販売促進条件テーブルＮＯ．の項目の設定「１」に基づいて、図８に示す販売促進条件テーブルＴ２ａが参照される。販売促進条件テーブルＴ２ａには、販売促進の対象となっている期間は、２００５年１月１日から２００５年１２月３１日であり、合計１０，０００円以上の商品を購入した場合である場合に販売促進活動の対象となることが条件として設定されている。顧客のクレジットカードによる決済はこの条件を満たすため、販売促進活動の対象となる。したがって、販売促進条件テーブルＴ２ａに設定されている図９に示す販売促進レシートメッセージテーブルＴ３ａが参照され、その内容が印字された販売促進レシートが上述したレシートに続いてレシート発行口１６から発行される。キャッシャは、この販売促進レシートを顧客に渡す。
【００３８】
図１２は、この販売促進レシートの一例を示す図である。クレジットカード利用の顧客に発行される１００円の値引券であることを示す内容とともに、１００円の値引券を示すデータが印字されたバーコードなどが印字されている。顧客は、次回の買い物をするときに、この値引券を使用することにより１００円の値引きを受けることができる。
【００３９】
なお、上述の条件に合致しない場合、例えば商品の合計値段が９，５００円である場合は、販売促進レシートは発行されない。すなわち、販売促進レシートは、締めキーステータステーブルＴ１の販売促進なし／ありの項目に販売促進ありを示す「１」が設定されていない場合、販売促進期間から外れている場合、達成金額未満である場合には、発行されない。
【００４０】
この実施の形態のＰＯＳターミナル２によると、決済に用いられる締めメディアに対応する締めキーに、予め販売促進活動の対象となる締めメディアであるか否かを設定しておき、締めキーに対応する販売促進条件テーブルＴ２に設定された販売促進期間，達成金額についての販売促進条件を見たす場合に、予め設定された販売促進活動の内容を示すメッセージ、必要がある場合には値引券を示すバーコードなどを印字した販売促進レシートを発行することができるので、顧客が商品購入時に使用する締めメディアに応じて販売促進活動を行うことができる。
【００４１】
すなわち、現金，デビットカード，クレジットカード，プリペイドカード，携帯端末装置やＩＣカードに蓄積された電子マネー、クーポン券等の多様な締めメディアに応じた販売促進活動を行うことができ、ある特定の締めメディアを優遇した条件に設定しておけば、その締めメディアに顧客を囲い込む手段として用いることが可能となる。
【００４２】
また、販売促進条件テーブルＴ２の期間ＦＲＯＭと、期間ＥＮＤの設定を変更することにより、販売促進活動の期間を自由に設定することが可能であるため、締めメディアに応じた短期間の販売促進活動（キャンペーン）にも、利用可能である。
【００４３】
上述した実施の形態では、顧客がクレジットカードのみで商品の支払いを行う場合で説明しているが、複数の締めメディアで商品の支払いをする場合も考えられる。この場合は、ＣＰＵ２１によって、それぞれの締めキーに応じて販売促進レシートを発行するか否かが判断される。例えば、２０，０００円の商品を購入する際に、クレジットカードと現金と２つの締めメディアを用いて支払う場合に、クレジットカードで１０，０００円、現金で１０，０００万円を支払う場合にはクレジットカードは図８に示す販売促進条件を満たすため（販売促進期間は満たすこととする。）、販売促進レシートが発行され、また、現金１０，０００円で予め販売促進ありが設定されておりかつ販売促進条件を満たす場合にはその条件に設定された販売促進レシートが発行される。すなわち、この場合はＰＯＳターミナル２から２つの販売促進レシートが発行される。このように、２つ以上の締めメディアを用いて決済を行った場合も、各締めメディア毎に販売促進条件テーブルＴ２が参照され、条件を満たす場合には販売促進レシートが発行される。
【００４４】
また、図１３から図１５は、販売促進レシートの一例を示す図である。図１３は、クレジットカードを使用したときに、粗品をプレゼントする販売促進活動を行っている場合の販売促進レシートを示す図である。また、図１４は、クレジットカードを使用したときに、宝くじの抽選券をプレゼントする販売促進活動を行っている場合の販売促進レシートを示す図である。さらに図１５は、クレジットカードを使用したときに、おみくじを発行する販売促進活動を行っている場合の販売促進レシートを示す図である。これらの販売促進レシートは、クレジットカードを使用したときに、販売促進条件テーブルＴ２に設定されている販売促進期間及び達成金額の条件を満たす場合にＰＯＳターミナル２から発行され、顧客にキャッシャから渡される。このように、販売促進活動に関する内容は自由に設定することが可能である。
【００４５】
なお、本発明は、上述した実施の形態そのままに限定されるものではなく、実施段階ではその要旨を逸脱しない範囲で構成要素を変形して具体化できるものである。
【図面の簡単な説明】
【００４６】
【図１】本発明の実施の形態におけるＰＯＳターミナルが接続されるシステムを示す図。
【図２】同実施の形態におけるＰＯＳターミナルの外観の一例を示す図。
【図３】同実施の形態におけるＰＯＳターミナルの要部構成を示す図。
【図４】同実施の形態における締めキーステータステーブルに設定される内容を説明するための図。
【図５】同実施の形態における販売促進条件テーブルに設定される内容を説明するための図。
【図６】同実施の形態における販売促進レシートメッセージテーブルに設定される内容を説明するための図。
【図７】同実施の形態における締めキーステータステーブルの設定例を示す図。
【図８】同実施の形態における販売促進条件テーブルの設定例を示す図。
【図９】同実施の形態における販売促進レシートメッセージテーブルの設定例を示す図。
【図１０】同実施の形態における販売促進レシートを印字発行するときの処理の要部を示すフローチャート。
【図１１】同実施の形態における顧客用控えレシートの一例を示す図。
【図１２】同実施の形態における販売促進レシートの一例を示す図。
【図１３】同実施の形態における販売促進レシートの一例を示す図。
【図１４】同実施の形態における販売促進レシートの一例を示す図。
【図１５】同実施の形態における販売促進レシートの一例を示す図。
【符号の説明】
【００４７】
２…ＰＯＳターミナル，３…ストアコンピュータ，１１…キーボード，１８…スキャナ，１９…カードリーダ，２１…ＣＰＵ，２２…ＲＯＭ，２３…ＲＡＭ，Ｔ１，Ｔ１ａ…締めキーステータステーブル，Ｔ２，Ｔ２ａ…販売促進条件テーブル，Ｔ３，Ｔ３ａ…販売促進レシートメッセージテーブル
【図１】
2007004558.tif 000003
【図２】
2007004558.tif 000004
【図３】
2007004558.tif 000005
【図４】
2007004558.tif 000006
【図５】
2007004558.tif 000007
【図６】
2007004558.tif 000008
【図７】
2007004558.tif 000009
【図８】
2007004558.tif 000010
【図９】
2007004558.tif 000011
【図１０】
2007004558.tif 000012
【図１１】
2007004558.tif 000013
【図１２】
2007004558.tif 000014
【図１３】
2007004558.tif 000015
【図１４】
2007004558.tif 000016
【図１５】
2007004558.tif 000017